(57)【要約】ポータブルデータ処理装置（１２０）であって、ユーザのインターラクション機会を特定する情報を受信し、ディスプレイ（１０）を介して提示する。特定された各インターラクション機会について、プロセッサ（１３０）はそれぞれの表示アイコン（３８、１８）を生成する。プロセッサは、少なくとも第１（１２）、第２（１６）、第３（１４）の表示部分を有し、新しく生成された表示アイコン（３８）は、第１の表示部分（１２）に最初表示される。その後、アイコン（１８）は第２の表示部分（１６）に動き、所定の優先方法によって並べられる。表示されたアイコンのユーザ選択に応じて、選択されたアイコンと関連する追加データが第３の表示部分（１４）に表示される。
2005527031.tif 000002
【特許請求の範囲】
【請求項１】
ユーザのインターラクション機会を特定する情報を受信し、ディスプレイを介して前記ユーザに提示するように動作するポータブルデータ処理装置であって、
データ記憶手段と前記ディスプレイに結合された、各特定されたインターラクション機会の表示アイコンを生成するようにプログラムされたプロセッサと、
表示されたアイコンを選択するユーザ操作可能入力手段とを有し、
前記プロセッサは、少なくとも第１、第２、第３の表示部分を有するユーザインターフェイスを生成し、新しく生成された表示アイコンは最初前記第１の表示部分に表示され、その後、他のアイコンが表示されている前記第２の表示部分に動かされるように構成され、
前記プロセッサは、所定の優先方法により前記第２の表示部分に前記アイコンを並べるように構成され、
表示されたアイコンのユーザ選択に応じて、前記選択されたアイコンに関連する追加データが前記第３の表示部分に表示されることを特徴とする装置。
【請求項２】
請求項１に記載の装置であって、インターラクション機会を特定する前記情報から、各々の優先度を決定するように構成され、
前記プロセッサにより適用された前記所定の優先方法は、前記第１の表示部分の位置に係る優先順序で前記表示アイコンを前記第２の表示部分内に位置づけることを特徴とする装置。
【請求項３】
請求項１に記載の装置であって、前記プロセッサにより適用される前記所定の優先方法は、前記表示アイコンを前記第１の表示部分に到着した順番で前記第２の表示部分に位置づけることを特徴とする装置。
【請求項４】
請求項１ないし３いずれか一項に記載の装置であって、前記プロセッサは、前記受信した情報から、インターラクション機会の複数の異なるクラスを特定し、各特定されたインターラクション機会のために提示された表示アイコンの形式でユーザに示すように構成されていることを特徴とする装置。
【請求項５】
請求項４に記載の装置であって、各表示アイコンの形式は、前記データ記憶手段に保持されたデータにより少なくとも部分的に決定されることを特徴とする装置。
【請求項６】
請求項１ないし５いずれか一項に記載の装置であって、前記プロセッサは、前記第２の表示部分にアイコンがすでに表示されているインターラクション機会に関係する追加情報を受信し、前記第２の表示部分中の前記それぞれの表示アイコンの外観を変更することにより、前記ユーザに前記情報の到着を示すように動作することを特徴とする装置。
【請求項７】
請求項１ないし６いずれか一項に記載の装置であって、前記プロセッサと結合され、少なくとも１つの遠隔ソースからインターラクション機会を特定する前記情報を受信するように動作する手段を有することを特徴とする装置。
【請求項８】
請求項７に記載の装置であって、前記プロセッサは、２以上の遠隔ソースの相対的評価の視覚的表現を前記第３の表示部分に生成するようにさらに動作することを特徴とする装置。
【請求項９】
請求項７または８に記載の装置であって、前記情報を受信するように動作する前記手段はワイヤレスレシーバであることを特徴とする装置。
【請求項１０】
請求項１ないし９いずれか一項に記載の装置であって、前記第１の表示部分に新しいアイコンを生成するときユーザの注意を喚起するように前記プロセッサにより制御された手段をさらに有することを特徴とする装置。
【請求項１１】
請求項１ないし１０いずれか一項に記載の装置であって、前記プロセッサは、前記第２の表示部分にアイコンを動かす前に、前記第１の表示部分にあるアイコンを前記第１の表示部分の一端から他端にスクロールするように構成されたことを特徴とする装置。
【請求項１２】
請求項１ないし１１いずれか一項に記載の装置であって、前記第１の表示部分は、前記装置のディスプレイ上の前記第２と第３の表示部分の間に位置づけられたことを特徴とする装置。
【請求項１３】
請求項１ないし１２いずれか一項に記載の装置であって、前記装置は前記ユーザインターフェイスを介してデバイス設定のユーザによる変更を容易にするようにさらに動作し、
設定のオプションはそれぞれのエントリーのサブメニューを有するメニュー内にネストされ、前記第１の表示部分中のそれぞれのアイコンは、前記それぞれのサブメニューオプションを表す前記第２の表示部分に表されたアイコンの１つを選択するメニューアイテムと、前記第２の表示部分の前記アイコンの１つを選択するメニューアイテムとを表し、前記サブメニューのしたの前記ここのデバイス設定オプションは前記第３の表示部分に示されることを特徴とする装置。
【請求項１４】
ユーザインターフェイスを介してユーザにインターラクション機会を特定する情報の表示を管理する方法であって、
少なくとも第１、第２、第３の表示部分を有するユーザインターフェイスを生成するステップと、
各特定されたインターラクション機会のそれぞれの表示アイコンを生成し、前記第１の表示部分に最初に表示するステップと、
その後、他のアイコンが表示されている前記第２の表示部分に前記第１の表示部分から前記アイコンを移動させるステップと、
所定の優先方法により前記第２の表示部分に前記アイコンを並べるステップと、
表示されたアイコンをユーザが選択したとき、前記第３の表示部分に前記選択されたアイコンと関連する追加データを表示するステップとを有することを特徴とする方法。
【請求項１５】
請求項１４に記載の方法ステップを実行する実行可能命令を含むコンピュータ読出し可能な記憶媒体。
【発明の詳細な説明】
【技術分野】
【０００１】
本発明は、ユーザにインターラクション機会に関するデータを表示するように動作する表示手段を有する装置に関する。特に、本発明は、単一画面または表示デバイス上の表示パネルまたはウィンドウ（以下、一般的にパネルと呼ぶ）に上記のデータを表示する装置、およびその表示を管理し上記のデータ表示を更新する方法に関するが、これ以外を排除するものではない。
【背景技術】
【０００２】
近年、モバイル電話ネットワークの加入者が世界的に激増し、技術の進歩と機能の増加に伴って、携帯電話は個人的な信頼されたデバイスとなった。この結果として、モバイル情報社会が発展しており、個人化、局所化されたサービスがより一層重要となりつつある。上記の「コンテクストアウェア」（CA）モバイル電話は、場所を特定した情報を提供するために、ショッピングモールのような場所にある低出力・短距離基地局と共に用いられる。この情報には、例えばその場所の地図や近くにあるお店やレストランの情報を含んでいてもよい。パーソナルデジタルアシスタント（PDA）やラップトップコンピュータなどの他の個人的およびポータブルはデバイスとともに、上記の出会いをサポートする技術的特徴もあるので、CAターミナルの数も増加傾向にある。
【０００３】
CAターミナルの例は米国特許第5,835,861号であり、広告掲示板のコンテクストでワイヤレス電話を使用することを開示している。ワイヤレス電話のユーザは、アクティブな広告ソースにプロンプト信号を送信し、その広告ソースから広告ベンダーの電話番号を含む応答信号を受信するために、ユーザのワイヤレス電話を起動することによりベンダーの電話番号を取得する。その電話番号は、公衆交換電話ネットワークを介してそのベンダーに自動的に発呼するために用いることができる。あるいは、その電話番号を後で使用するために記憶させておいてもよい。この構成を使用して、ベンダーの電話番号を記憶したり書き取ったりしなくてもそのベンダーに電話をかけることができる。掲示板と電話をかける者の間の信号は変調された赤外線（IR）信号として送信することができる。
【０００４】
ユーザが直面する問題は、入手可能なインターラクション機会に関するデータ量である。ユーザのCA端末は、予め記憶されたユーザの嗜好により受信した情報をフィルターし、特に興味のあるデータを受信した時にのみ、注意を喚起するようになっているかもしれない。しかし、そのフィルタを通過する情報をより効果的に管理する必要がある。
【発明の開示】
【発明が解決しようとする課題】
【０００５】
本発明の目的は、ディスプレイ表面の単位面積あたりの表示容量をよりよく利用する、ユーザにインターラクション情報を提示する手段を提供することである。
【０００６】
さらなる副次的な目的は、ユーザのために改良されたインデックスおよびアクセスの便宜をサポートするシステムを提供することである。
【課題を解決するための手段】
【０００７】
本発明の第１の態様により、ユーザのインターラクション機会を特定する情報を受信し、ディスプレイを介して前記ユーザに提示するように動作するポータブルデータ処理装置であって、データ記憶手段と前記ディスプレイに結合された、各特定されたインターラクション機会の表示アイコンを生成するようにプログラムされたプロセッサと、表示されたアイコンを選択するユーザ操作可能入力手段とを有し、前記プロセッサは、少なくとも第１、第２、第３の表示部分を有するユーザインターフェイスを生成し、新しく生成された表示アイコンは最初前記第１の表示部分に表示され、その後、他のアイコンが表示されている前記第２の表示部分に動かされるように構成され、前記プロセッサは、所定の優先方法により前記第２の表示部分に前記アイコンを並べるように構成され、表示されたアイコンのユーザ選択に応じて、前記選択されたアイコンに関連する追加データが前記第３の表示部分に表示されることを特徴とする装置が提供される。特定の構成された表示部分を備えることによって、ユーザは、新しく到着したインターラクション機会を素早く特定することができ（第１の表示部分）、興味があるものをもっと容易に見つけることができ（前記第２の表示部分内の優先付けられた並び）、最初の二つの表示部分を隠さないでさらに情報を呼び出すことができる（第３の表示部分）。
【０００８】
この装置は、インターラクション機会を示す情報から各々の優先順位を決定するように構成されてもよい。プロセッサにより適用された所定の優先順位付け方法が、第２の表示部分内の表示アイコンを第１の表示部分の位置に関する優先順位で位置づける。プロセッサにより適用されるその所定の優先順位付け方法は、機会を評価し優先順位付ける複雑な方法を有していてもよいし、第１の表示部分に到着した順序で第２の表示部分にこれらの表示アイコンを一時的に優先順位付けするような簡単なものであってもよい。
【０００９】
明瞭にするため、プロセッサは、受信した情報から、インターラクション機会の複数の異なるクラスを特定し、特定したインターラクション機会の各々を表す表示アイコンの形でユーザに示すように構成されていてもよい。上記の異なる形のアイコンは、データ記憶手段に保管されたデータにより少なくとも部分的には決定されてもよく、および／またはインターラクション機会データのリモートソースから配信されてもよい。
【００１０】
プロセッサは、アイコンがすでに第２の表示部分に表示されているインターラクション機会に関する追加情報を受信するように動作してもよい。その場合、プロセッサは、さらにアイコンを追加することにより第２の表示部分を混雑させるよりも、第２の表示部分のそれぞれの表示アイコンの外観を変えることにより、ユーザにその情報の到着を示してもよい。
【００１１】
この装置は、プロセッサと結合され、（本質的ではないが）好ましくはワイヤレスダウンロードにより少なくとも１つのリモートソースからのインターラクション機会を特定する情報を受信するように動作する手段を有していてもよい。リモートソースとのインターラクションをさらに促進するため、プロセッサは、その装置の位置に関する少なくとも１つのリモートソースの位置の視覚的表示、および／または装置の２つ以上のリモートソースの相対的評価の表示を第３の表示部分に生成するようにさらに動作してもよい。
【００１２】
第１の表示部分にアイコンが表示されるのと合わせて、その装置は、プロセッサにより制御され、第１の表示部分（すなわち、新しいインターラクション機会の検出時に）に新しいアイコンを生成することをユーザに注意喚起する手段をさらに有していてもよい。上記手段は、例えば、混雑した環境を歩いているときなどに必要であるように、たとえユーザインターフェイスを見ていなくても、ユーザに注意喚起できるように、サウンド発生器またはバイブレーションデバイスを好適に含んでいてもよい。
【００１３】
新しい機会がどのくらい最近発生したかをユーザに特定するため、プロセッサは、第１の表示部分のアイコンを第２の表示部分に移動する前に、その表示部分の一端から他端にスクロールするように構成されていてもよい。複数の機会が近くで受信されたとき、第１の表示部分は、アイコンが第２の表示部分に優先順位をつけられて整列される前に通過するパイプラインとして機能する。
【００１４】
前記装置は前記ユーザインターフェイスを介してデバイス設定のユーザによる変更を容易にするようにさらに動作してもよく、設定のオプションはそれぞれのエントリーのサブメニューを有するメニュー内にネストされ、前記第１の表示部分中のそれぞれのアイコンは、前記それぞれのサブメニューオプションを表す前記第２の表示部分に表されたアイコンの１つを選択するメニューアイテムと、前記第２の表示部分の前記アイコンの１つを選択するメニューアイテムとを表し、前記サブメニューの下の前記個々のデバイス設定オプションは前記第３の表示部分に示されることを特徴とする。
【００１５】
また、本発明によると、ユーザインターフェイスを介してユーザにインターラクション機会を特定する情報の表示を管理する方法であって、少なくとも第１、第２、第３の表示部分を有するユーザインターフェイスを生成するステップと、各特定されたインターラクション機会のそれぞれの表示アイコンを生成し、前記第１の表示部分に最初に表示するステップと、その後、他のアイコンが表示されている前記第２の表示部分に前記第１の表示部分から前記アイコンを移動させるステップと、所定の優先方法により前記第２の表示部分に前記アイコンを並べるステップと、表示されたアイコンをユーザが選択したとき、前記第３の表示部分に前記選択されたアイコンと関連する追加データを表示するステップとを有することを特徴とする方法が提供される。本発明は、上記方法ステップを実行する実行可能命令を含むコンピュータ読出し可能な記憶媒体をさらに提供する。
【００１６】
本発明のさらなる特徴と利点は、添付した図面を参照して、実施例としてのみ与えられた以下の本発明の好ましい実施形態を読めば明らかとなるであろう。
【発明を実施するための最良の形態】
【００１７】
以下において、移動中にユーザがモバイルデバイスのアプリケーションの起動を管理するインターラクションメカニズムを説明する。このメカニズムはユーザインターフェイスデザインを示す図１−３０に示されている。
・そのメカニズムにより、ユーザにより起動されたアプリケーション（プル）と同様に、新しい状況、デバイス、ネットワーク、時間、場所、または社会的コンテクストのイベントにより自動的または外的に起動されたアプリケーション（プッシュ）を容易に管理することができる。
・ピア・ツー・ピアおよびクライアント・サーバアプリケーションの機会の管理が使いやすいユーザインターフェイスの下に統合される。
・そのデザインは２つのモードを有している。１つは移動中のユーザを支援するもの（機会管理モード）であり、もう１つはユーザが異なるコンテクストで出会う異なるアプリケーション機会の多数の個人的嗜好、フィルタ、優先順序を構成するもの（パーソナルセッティングモード）である。
【００１８】
PDAの画面デザインによりそのデザインを示したが、モバイル電話やラップトップ等の他のハンドセットフォーマットやデバイスにそのメカニズムを実装することもできる。
機会管理モード
インターラクション機会の簡単な例は、ベルが鳴る音や発呼者IDによりシグナルされたかかってきた電話またはSMSメッセージであってもよい。あるいは、ユーザがテレビの近くにいるときにその音を個人的に聞くためのワイヤレスヘッドセット、プレゼンテーションをレーザビームで指示するコンピュータプロジェクションシステム、プリンタ、ユーザが一時的に専有することができる大きな公共ディスプレイの近くにいるような機会であってもよい。上記のイベントには、ユーザのカレンダーシステムによりトリガーされた電話をするように注意を喚起するリマインダを含んでもよい。他の例として、ローカルサービスやワイドエリアネットワークサービスへのポインターを提供するショートレンジのRF無線標識の範囲にユーザが入るというイベントがある。さらに別の例として、名刺をワイヤレスで交換しようとする他のユーザのハンドセットから送信されたIR信号の範囲内に来ることである。
【００１９】
最初に図１から１８までのシーケンスを考慮して、ユーザインターフェイススクリーン１０は中央部分１２により、アプリケーションを見てインターラクトする上部表示部分１４および機会のカレントセットと状態をモニターする下部表示部分１６とに分割される。部分１２はユーザのカレントパーソナルフィルタを通過する新しい機会・イベントの到着を知らせる「パイプライン」として動作する。これらの機会・イベントは、その表示部分の右側から到着するアイコン１８により合図される。アイコン１８の特定の形式は機会のクラスを表す。新しいイベントは、例えば、そのイベントのカテゴリーやクラスを示す識別音を伴う特殊なバイブレーションパターンによりユーザに合図されてもよい。
【００２０】
これらのアイコン１８には、説明的タイトル２０が後に続き、ティッカーテープのように右から左にスクロールするメッセージ（２２、図２）がさらに続いてもよい。図１から８に示したイベントはロケーションベースのサービスとインターラクトする機会である。ユーザがちょうど出会ったRFまたはIRビーコンを発見した、またはそのビーコンからユーザのハンドセットに「プッシュ」されたビーコン信号の結果である。
【００２１】
ユーザインターラクションの新しい機会は、表示部分１６（図２と３）のプッシュダウンスタックにある機会の「ラック」にその後移動する。このスタックは異なったやり方で並べられる。最新の機会が一番上に置かれ、長いラックをスクロールすることにより、その日またはその週のイベントが入ったスタック全体を見ることができる。あるいは、カレントコンテクストでユーザにとって新しいイベントまたは機会の優先度が高いほど（例えば、優先度が現在設定されている個人的嗜好のにより設定される場合）、イベントアイコン１８はスタックの上位に（すなわち、第１の表示部分の近くに）来る。新しく優先度の高いイベントは古いイベントを押し下げ、他方、新しいが優先度の低いイベントはスタックで低い場所に置かれる。よって、ユーザはスクリーンの中心に最も近いバー（ラック内の水平ライン）にある優先度が最も高いイベントにフォーカスすることができる。ラックは、例えば、スクリーンの右側にあるホットスポットまたは制御アイコン２４を介して、上にも下にもスクロールすることができる。
【００２２】
ショートレンジのRFビーコンに出会うなどの新しい機会はそれぞれ多数の異なるアプリケーションを提供する。例えば、ビーコンはナビゲーションアシスタンスのサービス、コマーシャルオファー、ユーザが読むように残された記憶されたメッセージを提供するものでもよい。この場合、表示部分１６内のラックの水平バー２６は以下のものを示す。
・左側に、その機会とカテゴリのソース（例えば、ロケーションベースのサービスのRFビーコン）を特定するイベントアイコン１８が示される。このアイコンによりユーザは、アプリケーションソースのいくつかの特徴、例えばオファーされているサービスの信頼性やそのユーザがメッセージの送り手をどの程度個人的に知っているかを素早く評価することができる。
・右側に、アプリケーションごとに多数のアイコン（図４の３０）が表示される。オファーされているサービスのカテゴリを示すグラフィックス／付随するサウンドが任意的に示される。また、これらのアイコンが上部表示部（アプリケーションスペース）１４に表示されているかどうか、ユーザのインターラクションを待っているかどうか（例えば、図４の手のアイコン３０による）、または現在は受動状態でインターラクティブかどうか（すなわち、一方通行で放送された情報）により任意的にタグされてもよい。
【００２３】
図４は、RFビーコンと出会った後にビジターガイドを提供するアプリケーションの（PDAポインター３２を用いた）起動を示す。特定のアプリケーションを実行しインターラクションするための上部表示部分１４のハンドセットスクリーンスペースの量は手動または自動で調整可能である。それゆえ、より広いスクリーンエリアをアプリケーションに充てることもできるし、異なるアプリケーション機会をモニターする下部表示部分１６内のラックに充てることもできる。例えば、パイプライン表示部分１２は、ホットスポットを介してスクリーンの下の方に引き下げることができる。
【００２４】
ホストデバイスが２つのディスプレイデバイス（またはその２つのディスプレイデバイスに接続する手段）を有する別の構成において、その２つのスクリーンを同期して、一方を機会をモニターするために用い、他方をアプリケーションとのインターラクションに用いてもよい。
【００２５】
アプリケーションを起動するとき、上部表示部分１４のアプリケーションインターラクションエリア３４は図５のように中心表示部分１２から上にスクロールし、例えば図６のようにユーザがオプションボックスをチェックしてインターラクションが進展する。そのアプリケーションは、図７のように、アプリケーションインターラクションエリア３４の右上隅の「最小化」ホットスポット３６を選択することにより閉じることができる。アプリケーションインターラクションエリア３４は、図８のように、中央表示部分に滑り込み消える。
【００２６】
図９は、新しい機会ソースの出現を示し、ハンドセットのRF部がマクピーターソン氏が近くにいることを検出したことを示す。このイベントアイコン３８は、中央表示部分１２を右から左へ移動し、下部表示部１６（図１０と１１）のユーザインターラクションの現在アクティブな機会のラック上に第２のバーを形成するため下に移動する。図２の例のように、アイコン３８には中央表示部分１２をスクロールするメッセージ４０がさらに続く。
【００２７】
図１２において、ユーザはソースであるマクピーターソン氏がインターラクションを提供しているとの１つのアプリケーションをハンドアイコン４４をポインター３２で選択することにより起動する。図１３に見られるように、起動時に、このアプリケーションはマクピーターソン氏の名刺を転送する。
【００２８】
この説明において、イベントが外的にトリガーされ、インターラクションの機会がユーザに自動的に表示（プッシュ）される。図１３−１８をカバーする次のシーケンスが、アプリケーションを手動で起動することを示す（プル）。図１３に「me」として示された中央表示部分１２の右側のアイコン４８に触れることにより、事前に選択された一組のアプリケーション、または現在アクティブなコンテクストでユーザが起動可能な「ツール」が、図１４に示したように、中央表示部分１２を右から左に現れる。これらのツールは、図１４の第１の表示部分１２のアイコンによって示されたように、例えば、音楽プレーヤ５０であってもカレンダー５２であってもよい。図１５において、「レーダー機能」アイコンが選択される。このアプリケーションは、ハンドセットが検出できるRF「オーラ」を出している人が近くにいるか、または外部のインフラストラクチャまたはサービスプロバイダによりいる位置をトラックされた人が近くにいるか探査し、ユーザに注意を促し、それと同時に図１６に示したように、上部表示部分１４から前のアイテム（名刺４６）をクリアする。
【００２９】
レーダー機能は、ユーザのカレントコンテクストに応じて近くにいる人がどのくらい重要かまたは興味深いかを視覚化（５６）する。近くにいる人はそれぞれ名前（例えば、図１７のオットー）を関連させてレーダー内にアイコンで視覚化される。その他の人がより興味深く関係があれば、よりレーダーの中心に近く表示される。その結果、ユーザは、インターラクション機会を求めて付近にいる多数の人々を容易に評価することができる。レーダーは、人々に加え、付近にあるデバイス、サービス、場所の関係性を示すように拡張することもできる。リモートソースの位置が利用できる代替的機能として（または付加機能として）、レーダーアイコンのレーダーの相対的位置はユーザとの相対的地理的位置を示してもよい。
【００３０】
図１８において、ユーザは（上部表示部分１４の端にある垂直バー６０をポインターで選択することにより）モードをスイッチし、パーソナル設定を見て変更することができ、また現在選択されているコンテクストを変更し入ってくる機会イベントのフィルタリングを変更することができる。この点は下でより詳細に説明する。
【００３１】
ユーザは、「プッシュ」されたイベントおよび／または持っているアプリケーションを振るいにかけ優先順位を付ける多数の機会フィルタを好適に有する。例えば、これらのフィルタは以下のユーザのコンテクストで実行してもよい：
・自宅
・職場
・スポーツ
・レジャー
・移動中
図１８の第１の表示部分１２の右側にあるアイコン「me」４８は、「オン・ザ・ウェイ」コンテクスト（およびそれに関連したフィルタリングと優先順位付け）が現在アクティブであることを示す。反対に、図２９はパイプラインの右に「ハウス」アイコンを示し、「自宅」の設定が現在アクティブであることを示す。カレントフィルタや設定は、ユーザがハンドセットで直接的または明示的にインターラクションしない（見えない）プログラムまたはリモートアプリケーションに影響を与えるかもしれないことに注意すべきである。例えば、「職場」コンテクストの選択は、自宅の暖房、留守番電話、セキュリティシステムの設定に影響を与えてもよい。「コンテクスト」がアクティブである選択はユーザにより明示的になされてもよいことにも注意すべきである。あるいは、ユーザは外部で検出されたイベントへのスイッチをコンテクストに任せると決定してもよい。このコンテクスト制御イベントまたは状況は、スポーツホール、ショッピングモール、職場（RF/IRビーコン、RF-IDタグ、GPSロケーションにより検知される）に入ったとき−またはある時間になったとき、一定のグループの人々の近くに来たときである。原理的に、自動的に検出された状態の変化は自動的なコンテクストの変化を引き起こすこともある。
パーソナルセッティングモード
図１８において、ユーザは右側のバー６０をクリックしてモード変更を起動する。図１９のように、パーソナルセッティングスクリーンビュー６２が機会−イベントおよびアプリケーションビューの上に出てくる。図２０のパイプラインの右端にある矢印アイコン６４を選択することによりモードを戻すことができる。戻したところを図２６に示した。
【００３２】
パーソナル設定モードにおいて、スクリーンは、再度、ユーザの視覚的フォーカスとして機能する水平中央表示部１２´により分割され上部表示部と下部表示部１４´と１６´とに分かれる。下部表示部１６´は、異なるユーザコンテクスト（「自宅」、「ツーリスト」、「ビジネス」等）とそれに関連するアプリケーションの割当て間の主な選択のためのものである。上部表示部１４´はアプリケーションの嗜好を詳しく設定するためのものである。
【００３３】
図２０において、レーダー、カレンダー、音楽、情報ボードアプリケーションを表す、アイコンが１２´にあることにより、４つのツールが「オン・ザ・ウェイ」コンテクストで現在利用可能であることが分かる。これらは「オン・ザ・ウェイ」コンテクストで利用可能である（１６´の右側のコラムにある上から３つめのアイコン６６が、アクティブであることを示すため影付けされている）。
【００３４】
図２１において、「ビジネス」コンテクスト（１６´の右側にあるコラムの一番下のアイコン６８）に変更がなされる。図示したように古いアプリケーションツールのセットはスライドして消え、新しいセットがパイプライン中を右から左に現れる。ユーザインターフェイスを有する他のすべてのオペレーションと同様に、上記の動作に対するフィードバックは、ハンドセット、状況、ピア、機会ソースコンテクスト、またはアプリケーション等の他の特性についてユーザに通知するチャンネルでもあることができる、サウンド、曲、バイブレーションパターンにより任意的に強化されてもよい。
【００３５】
図２２において、「ビジネスコンテクスト」ツール７０の１つが個人的な変更のために選択される。この情報ツールのプロファイル設定ビュー７２は、図２３のように中央表示部分１２´から上にスクロールして現れる。他のモードと同様に、ユーザは、中央表示部分１２´を下に動かし、図２４のビューに導いて、７４のスクロールホットスポットを介してこのアプリケーションの設定を見るためにより多くのスクリーンを割くことができる。
【００３６】
ユーザはこのモードで個人的嗜好と設定の変更、および異なったコンテクスト（図２５参照）のツール・アプリケーション・注意喚起の優先順位付けを完了すると、中央表示部分１２´の右端にある矢印ホットスポット７２を起動する。これにより設定ビュー７２が（図２６のように）閉まり、第２のモードのスクリーンがスライドして出てゆき（図２７）、第１のモードの機会−イベントマネージャに戻る。レーダーアプリケーションは、図２８に示すように、現在起動されている。
【００３７】
機会管理モードに戻ると、図２９と３０に示したように、多数のより洗練された拡張が可能である。例として、７８のクロックアイコンはバブル８０を有しており、説明のテキストが利用可能であることを示している。バーの左のイベントアイコン８４に付加されたハート８２は、ユーザにとって非常に個人的な信頼の置けるアプリケーションのセットが入っていることを示す。サービスに関連したイベントアイコンに付加されたハートは、ユーザがそのサービスの知られた加入者であることを示す。イベントアイコンに付加されたハートは、このソースが信頼できること、または（例えば、以前のインターラクションであってことや、同僚や友達であったことから）知っている人物であることを示す。
【００３８】
イベントアイコン８８についている下向きの指示三角形８６は、これがさらに展開できるアプリケーションのクラスタであることを示す。（１つのイベントによりユーザにとって異なってタイプのアプリケーション機会のグループの階層が開いてもよいことに注意すべきである。）アイコン９２の「i」印９０は、このアプリケーションがユーザからのインターラクションを待っていることを示す。
【００３９】
図３０において、ハンドセットで動作している（またはハンドセットにより応答し例信号を送った）多数のモニターの状態が、他のアプリケーションが上部表示部１４を使用していないとき、そのスクリーンエリアに示される。例えば、一番左のコラムにおいて、上から下へ、アイコンは以下のことを示す。
【００４０】
家が現在ロックされている（９４）、
ユーザの株価について注意喚起がされている（９６）、
ハンドセットのサウンドがアクティブとされている（耳アイコン）（９８）、
スクリーンもスイッチがオンになっている（目アイコン）（１００）、
バッテリーが残り少なくなっている（１０２）、
強いGSMネットワーク信号が来ている（１０４）。
【００４１】
モニターの第２のコラムは、今日の栄養アドバイス（１０６）、現在の気温（１０８）、現在時刻（１１０）、ユーザの現在位置（１１２）（モバイルセルID、GPS、RFビーコン、その他の方法で決定される）を示す。
【００４２】
上で説明したように、インターフェイスのホスト装置は、PDA、モバイル電話、ラップトップ等のデバイスを有していてもよい。図３１は、本発明を実施するデバイス１２０の主要な部品と、２つのリモートソースであるビーコン１２２、１２４からのインターラクション機会を示す図である。ビーコン１２２からのインターラクション機会についての情報は、アンテナ１２６（デバイス１２０の外部にあっても内部にあってもよい）により拾われ、レシーバとデコーダ段階１２８を介して、受信されたデータは中央プロセッサ１３０にパスされる。
【００４３】
プロセッサ１３０にはデータ記憶手段１３２が結合されている。そのデータ記憶手段１３２は、アドレスおよびデータバスによりプロセッサに好適にリンクされたリードオンリメモリおよびランダムアクセスメモリを両方とも有していてもよい。１３４の点線により示されたように、メモリ１３２は、フロッピディスク、光ディスク、メモリスティック、半導体メモリカード等のリムーバブル記憶手段により補完されてもよい。データ記憶は、プロセッサを制御して図１−３０を参照して上で説明したようにユーザインターフェイスを生成・管理させるプログラム命令を含む。
【００４４】
プロセッサ１３０には、ユーザインターフェイスが提示されるディスプレイデバイス１０が結合されてもよい。ユーザ入力手段もプロセッサに結合され、検出されたインターラクション機会やインターフェイスそのもの（例えば、パーソナル設定モード）とのユーザのインターラクションをサポートする。ユーザ入力デバイスの形はある程度デバイス１２０の全体としての形と機能により決まるであろう。例えば、デバイスがラップトップコンピュータであるとき、ユーザ入力デバイスは一般的にx/yカーソル制御と同様にフル英数字キーボードを有するであろう。デバイスがモバイル電話であるとき、データを入力するキーの数は大幅に減少し、オプションメニューの生成と結合されたタッチスクリーン等のメカニズムが用いられる。示した例において、そのデバイスは、ディスプレイデバイス（一般的に液晶デバイス）１０と結合したタッチスクリーンインターフェイス１３６を有するPDA（または同様なもの）であり、ポインターデバイス３２を使用してユーザインターフェイスに表示されたアイテムを選択できる。
【００４５】
本開示を読めば、当業者には他のバリエーションが明らかであろう。そのようなバリエーションには、グラフィカルまたはスクリーンディスプレイインターフェイスを有する装置、その部品、および／またはそれを制御する方法の分野においてすでに知られた、ここですでに説明した機能に替えて、またはこれに加えて用いてもよい他の機能を用いてもよい。
【図面の簡単な説明】
【００４６】
【図１】インターラクション機会を特定する情報を提示するユーザインターフェイスのイメージである。
【図２】インターラクション機会を特定する情報を提示するユーザインターフェイスのイメージである。
【図３】インターラクション機会を特定する情報を提示するユーザインターフェイスのイメージである。
【図４】インターラクション機会を特定する情報を提示するユーザインターフェイスのイメージである。
【図５】インターラクション機会を特定する情報を提示するユーザインターフェイスのイメージである。
【図６】インターラクション機会を特定する情報を提示するユーザインターフェイスのイメージである。
【図７】インターラクション機会を特定する情報を提示するユーザインターフェイスのイメージである。
【図８】インターラクション機会を特定する情報を提示するユーザインターフェイスのイメージである。
【図９】インターラクション機会を特定する情報を提示するユーザインターフェイスのイメージである。
【図１０】インターラクション機会を特定する情報を提示するユーザインターフェイスのイメージである。
【図１１】インターラクション機会を特定する情報を提示するユーザインターフェイスのイメージである。
【図１２】インターラクション機会を特定する情報を提示するユーザインターフェイスのイメージである。
【図１３】インターラクション機会を特定する情報を提示するユーザインターフェイスのイメージである。
【図１４】インターラクション機会を特定する情報を提示するユーザインターフェイスのイメージである。
【図１５】インターラクション機会を特定する情報を提示するユーザインターフェイスのイメージである。
【図１６】インターラクション機会を特定する情報を提示するユーザインターフェイスのイメージである。
【図１７】インターラクション機会を特定する情報を提示するユーザインターフェイスのイメージである。
【図１８】インターラクション機会を特定する情報を提示するユーザインターフェイスのイメージである。
【図１９】インターラクション機会を特定する情報を提示するユーザインターフェイスのイメージである。
【図２０】インターラクション機会を特定する情報を提示するユーザインターフェイスのイメージである。
【図２１】インターラクション機会を特定する情報を提示するユーザインターフェイスのイメージである。
【図２２】インターラクション機会を特定する情報を提示するユーザインターフェイスのイメージである。
【図２３】インターラクション機会を特定する情報を提示するユーザインターフェイスのイメージである。
【図２４】インターラクション機会を特定する情報を提示するユーザインターフェイスのイメージである。
【図２５】インターラクション機会を特定する情報を提示するユーザインターフェイスのイメージである。
【図２６】インターラクション機会を特定する情報を提示するユーザインターフェイスのイメージである。
【図２７】インターラクション機会を特定する情報を提示するユーザインターフェイスのイメージである。
【図２８】インターラクション機会を特定する情報を提示するユーザインターフェイスのイメージである。
【図２９】インターラクション機会を特定する情報を提示するユーザインターフェイスのイメージである。
【図３０】インターラクション機会を特定する情報を提示するユーザインターフェイスのイメージである。
【図３１】インターラクション機会の外部ソースとともに本発明を実施するデバイスを示す概略図である。
【図１】
2005527031.tif 000003
【図２】
2005527031.tif 000004
【図３】
2005527031.tif 000005
【図４】
2005527031.tif 000006
【図５】
2005527031.tif 000007
【図６】
2005527031.tif 000008
【図７】
2005527031.tif 000009
【図８】
2005527031.tif 000010
【図９】
2005527031.tif 000011
【図１０】
2005527031.tif 000012
【図１１】
2005527031.tif 000013
【図１２】
2005527031.tif 000014
【図１３】
2005527031.tif 000015
【図１４】
2005527031.tif 000016
【図１５】
2005527031.tif 000017
【図１６】
2005527031.tif 000018
【図１７】
2005527031.tif 000019
【図１８】
2005527031.tif 000020
【図１９】
2005527031.tif 000021
【図２０】
2005527031.tif 000022
【図２１】
2005527031.tif 000023
【図２２】
2005527031.tif 000024
【図２３】
2005527031.tif 000025
【図２４】
2005527031.tif 000026
【図２５】
2005527031.tif 000027
【図２６】
2005527031.tif 000028
【図２７】
2005527031.tif 000029
【図２８】
2005527031.tif 000030
【図２９】
2005527031.tif 000031
【図３０】
2005527031.tif 000032
【図３１】
2005527031.tif 000033
【手続補正書】
【提出日】平成16年12月6日(2004.12.6)
【手続補正１】
【補正対象書類名】図面
【補正対象項目名】図１５
【補正方法】変更
【補正の内容】
【図１５】
2005527031.tif 000034
【国際調査報告】
2005527031.tif 000035
2005527031.tif 000036